(57)【要約】      （修正有）【課題】片手操作で容易に取り外すことができる筆記具用キャップの取付構造を提供する。【解決手段】有底筒状に形成されるキャップ本体１１０に、該キャップ本体１１０に沿って移動する押圧移動体１２１を設ける。軸筒２側には、ペン先部３側に付勢され、軸筒２に沿って移動可能な軸筒側移動体１２４を設ける。押圧移動体１２１に固定されるピン１２９は、軸筒２側に伸び、軸筒側移動体１２４と当接する。キャップ本体１１０と軸筒側移動体１２４とが嵌合してキャップは取付けられている。押圧移動体１２１を押圧することにより、軸筒側移動体１２４が移動し、嵌合状態が解除されてキャップを取外すことができる。このとき、キャップの内部の圧力上昇等が発生することはない。【選択図】図１
0003158677.tif 000002
【実用新案登録請求の範囲】
【請求項１】
ペン先部と軸筒部とを有する筆記具と、
有底筒状に形成され、前記筆記具の前記ペン先部側への着脱を可能にするための嵌合部を構成する第一突起が設けられるキャップ本体と、
押圧操作により前記キャップ本体に沿って移動可能に形成される押圧移動体と、
前記嵌合部を構成する第二突起が設けられるとともに、前記軸筒部に対して離脱不能であって、かつ、前記押圧移動体の押圧操作と連動して前記軸筒部に沿って移動可能に形成される軸筒側移動体と、を有することを特徴とする筆記具用キャップの取付構造。
【請求項２】
前記キャップ本体は、底部を二重筒状に形成するとともに、内側の筒状部の外周に、前記押圧移動体を形成したことを特徴とする請求項１記載の筆記具用キャップの取付構造。
【請求項３】
前記押圧移動体は、前記軸筒部の軸方向に押圧力を受ける解除押圧面が設けられ、
前記キャップ本体は、前記底部に前記軸筒部の軸方向に押圧力を受ける装着押圧面が設けられていることを特徴とする請求項１又は２記載の筆記具用キャップの取付構造。
【請求項４】
前記押圧移動体は、前記キャップ本体と離反する方向に付勢されるとともに、前記軸筒側移動体と当接するピン部材を有し、
前記軸筒側移動体は、前記ペン先部側に付勢されていることを特徴とする請求項１〜３の何れか１項記載の筆記具用キャップの取付構造。
【考案の詳細な説明】
【技術分野】
【０００１】
本考案は、筆記具用キャップの取付構造に関し、具体的には、片手操作で容易に取り外すことができる筆記具用キャップの取付構造に関する。
【背景技術】
【０００２】
キャップ式筆記具に装着されるキャップの着脱操作は、両手を使用して行うことが通常であるため、片手操作にて簡便に着脱操作を行いたいという課題が存在している。その解決手段として、キャップの取り外しの操作に関しては、特許文献１に記載の技術が従来より提案されている。特許文献１には、軸筒を手のひらで握りつつ、キャップの端面より突出する突出部を親指で押圧操作することにより片手でキャップを取り外すことができるキャップの取付構造が提案されている。より詳細には、筆記具に着脱されるキャップは、外キャップと、外キャップに対して摺動自在に設けられ、突出部が外キャップより突出し、外キャップの開口端に向けて付勢されている内キャップと、により構成される。そして、軸筒側には軸筒に沿って移動可能な摺動体が設けられる。内キャップと摺動体とは当接している。また、摺動体と外キャップとは嵌合し、キャップの筆記具への装着状態を構成する。キャップを取外す際には、内キャップの突出部の押圧操作により、内キャップを移動体側に移動させ、内キャップの移動と連動して摺動体が外キャップ開口端方向に移動し、外キャップと摺動体との嵌合が解除される。
【先行技術文献】
【特許文献】
【０００３】
【特許文献１】特開昭６１−２５９９６２
【考案の概要】
【考案が解決しようとする課題】
【０００４】
上述のキャップの取付構造においては、押圧移動する内キャップが有底筒状を形成している。そして、内キャップの内部空間に、筆記具のペン先部が内在される。一方、内キャップの開口端は、摺動体の前端面と当接している。よって、内キャップを押圧操作してペン先と反対方向に移動すると、内部空間の容積減少と相俟って、圧力が上昇する。すると、ペン先部に圧縮空気が流入し、インクの逆流による不書きやインク漏れが発生する。このような問題点は、マーカー類だけでなく、ボールペンにおいても発生する。ボールペンにおけるインクの種類（油性、ゲル、水性）に関わらず、ボールペンチップ先端のインク流通するボール周囲のクリアランスから圧縮空気が流入することにより、不書きや逆流の問題が発生する。
【０００５】
また、内キャップの開口端と摺動体の前端面との当接面がエアタイト（密栓）しているか否かは明確に開示されないが、エアタイトされていないとしても、ある程度当接面が密着することで押圧操作により一時的に圧力上昇は起こりえる。さらに、マーカー類の場合にはエアタイトされていないとインクの揮発という不具合が発生する。
【０００６】
さらには、シールゴムを必要とするボールペン（例えばインク保留体が必要な水性直液式のボールペン）において従来開示されるキャップ内の構造を適用した場合、キャップ装着状態においては内キャップの内部空間の底部（ペン先部と対向する位置）にシールゴムを設け、シールゴムとボールペンチップ先端が当接することとなる。しかし、キャップ取り外しのための操作をすると、内キャップがペン先と反対方向に移動するので、シールゴムとボールペンチップとの当接状態が変動してしまう。よって、内キャップが移動しても、シールゴムをボールペンチップに対して相対的に移動しない構造を新たに設ける等の対応が必要となってしまう。
【課題を解決するための手段】
【０００７】
本考案は、通常のキャップとしての機能を有し、有底筒状に形成されるキャップ本体と、キャップ本体に沿って押圧操作により移動する押圧移動体と、軸筒側に設けられ、この押圧移動体と連動して移動する軸筒側移動体により構成される筆記具用キャップの取付構造である。キャップ本体と軸筒側移動体とが嵌合することで筆記具本体（軸筒）に着脱される。
【考案の効果】
【０００８】
本考案によれば、押圧移動体の押圧操作でキャップ本体と軸筒側移動体との嵌合を解除し、キャップ本体を軸筒から離脱することができるものである。ここで、キャップ本体は有底筒状に形成されているので、キャップ本体のみで本来の筆記具用キャップの機能を果たすことができる。具体的には、筆記具の種類に応じて、キャップ本体内に、エアタイトやシールゴムを設けることができる。一方、押圧操作の際には押圧移動体と、押圧移動体と連動する軸筒側移動体のみが移動するので、キャップ本体は移動することがない。よって、キャップ本体の内部空間の容積減少による圧力上昇が起こることはない。
【０００９】
よって、本考案により、片手操作で容易に取外しが可能な筆記具用キャップを、種々の筆記具に応じて容易に適用させることが出来るようになる。
【図面の簡単な説明】
【００１０】
【図１】本考案を適用した筆記具の縦断面図である。
【図２】本考案を適用した筆記具の要部拡大図であって、キャップ取外しの過程を図示した縦断面図である。（ａ）がキャップが取付けられた状態を示し、（ｂ）がキャップを取り外した状態を示す。
【考案を実施するための形態】
【００１１】
以下、図面を参照しつつ本考案の実施例について説明する。なお、以下の説明において、前方向は、ペン先側の方向を指す。
【実施例１】
【００１２】
図１は、本考案に係る筆記具１の全体縦断面図である。本実施例の筆記具１は、全体を円筒状に形成されている。また、筆記具１は、いわゆる中綿式の油性マーカーであり、軸筒２の一端側にはペン先部３が設けられている。ペン先部３には、ペン先の保護及びインクの揮発を防止する筆記具用のキャップ１００が設けられている。また、軸筒２の内部には中綿４が設けられている。軸筒２の他端側は軸筒２内部に設けられた尾栓５により、中綿４を保持しつつ軸筒２の他端側を閉塞し、密栓している。
【００１３】
軸筒２の一端側（ペン先部３側）には、先口６が設けられている。先口６は、軸芯に沿って孔６ａが空いている。孔６ａ周りは軸芯に沿って複数の溝６ｂが放射状に設けられている。また、溝６ｂ（孔６ａ）には段部６ｃが設けられる。一方、ペン先部３の後方（軸筒２側）に段部３ａが設けられる。ペン先部３は、段部３ａを段部６ｃに当接させている。また、ペン先部３の段部３ａより先端側の所定範囲は、孔６ａ（より詳細には溝６ｂの段部６ｃよりも先端部分）により圧接保持されている。そして、ペン先部３の後端側は、中綿４に接続している。ここで、ペン先部３は、繊維質材料等により形成されている。よって、ペン先部３の内部は多孔質状に形成されている。筆記時には、中綿４に保持されたインクをペン先部３が毛細管現象により吸出するよう適宜設定されている。また、筆記時のインクの排出に伴う軸筒２内部の圧力低下を調整するよう、溝６ｂより空気が軸筒２の内部に流入されるように構成されている。
【００１４】
ここで、先口６の軸筒２に対する接続は、より詳細には、中綿４の先端側外周に形成される円筒部材７により実現されている。すなわち、円筒部材７の後端側は、軸筒２と嵌合している。円筒部材７の先端側は、先口６の後端と嵌合している。そして、円筒部材７の軸筒２及び先口６との嵌合は、エアタイト（密栓）されている。よって、軸筒２の内部への空気の流入は、先口６の先端部分から、溝６ｂを介してのみ行われる。
【００１５】
筆記具用のキャップ１００は、ペン先部３の保護及びインクの揮発等のキャップ本来の機能を呈するキャップ本体１１０と、キャップ１００を筆記具１から取り出す構造を呈するキャップ解除機構１２０とにより構成されている。
【００１６】
キャップ本体１１０には、円筒状に形成される外筒部材１１１が設けられている。外筒部材１１１の後方（軸筒２側）の開口端には、外径を外筒部材１１１の内径に合わせて円筒状に形成される嵌合筒部材１１２が設けられている。嵌合筒部材１１２は、外筒部材１１１外側からピン１１３にて外筒部材１１１に一体的に固定されている。ピン１１３は、軸筒２の軸芯に対して放射状に複数設けられている。また、嵌合筒部材１１２の内径側には、後述する軸筒２との着脱を可能にするための嵌合部を構成する第一突起１１２ａが環状凸状に設けられている。
【００１７】
一方、外筒部材１１１の前方の開口部には、全体を略有底円筒状に形成される底部材１１４が設けられている。底部材１１４の内部は円筒状に空間が形成され、キャップ１００の装着時にはペン先部３が内包される。さらに、内部の円筒状空間には、その開口付近に環状に形成される環状突起１１４ａが設けられている。この環状突起１１４ａは、前述の先口６の先端部付近と密接し、ペン先部３の先口６から露出している部分及び溝６ｂの開口部をエアタイト（密栓）している。一方、底部材１１４の開口部外周にはフランジ状に形成される固定部１１４ｂが設けられている。固定部１１４ｂは、外筒部材１１１の外側から止めネジ１１５により外筒部材１１１と一体的に固定されている。止めネジ１１５は、軸芯に対して放射状に複数設けられている。
【００１８】
ここで、外筒部材１１１の長手方向略中央位置には環状に段部１１１ａが形成されている。これにより、嵌合筒部材１１２と底部材１１４は外筒部材１１１に対して位置決めがされている。
【００１９】
以上説明した外筒部材１１１，嵌合筒部材１１２，底部材１１４は、ピン１１３及び止めネジ１１５により一体的に形成されて、キャップ本体１１０を構成している。
【００２０】
次に、キャップ解除機構１２０の構成を説明する。前述の底部材１１４の有底円筒状に形成される部分の外周には、軸方向に移動自在に押圧移動体１２１が形成されている。押圧移動体１２１は、円筒状部１２１ａとフランジ状に形成されるフランジ部１２１ｂが形成されている。ここで、円筒状部１２１ａの内周面と底部材１１４の有底円筒状に形成される部分の外周面、及びフランジ部１２１ｂの外周面と外筒部材１１１の内周面とは、押圧移動体１２１が移動自在な程度に近接又は接触している。
【００２１】
なお、押圧移動体１２１は、フランジ部１２１ｂと底部材１１４の固定部１１４ｂ間に設けられた付勢部材であるコイルバネ１２２により、前方に付勢されている。そして、押圧移動体１２１の前方への移動は、外筒部材１１１の前方端部に設けられ軸芯方向に突出するピン１２３により、規制されている。ここで、ピン１２３は、軸芯に対して放射状に複数設けられている。
【００２２】
一方、軸筒２の円筒部材７の外周には、円筒状に形成される軸筒側移動体１２４が軸方向に移動可能に設けられている。軸筒側移動体１２４は、円筒状部１２４ａと、円筒状部１２４ａの後端にフランジ状に外方に突出する環状突起部１２４ｂとで構成されている。
【００２３】
なお、軸筒側移動体１２４が設けられる軸筒２の前方部分は、軸方向に所定の長さに形成される円筒状の空間が形成されており、当該部分の軸筒２の内径は、環状突起部１２４ｂの外周が摺接可能に形成されている。換言すれば、軸筒２の前方部分の内径と環状突起部１２４ｂの外周とは、軸筒側移動体１２４が移動可能な程度に近接又は接触している。同様に、軸筒側移動体１２４の内径は、円筒部材７の外周と近接又は接触している。
【００２４】
そして、軸筒２の前方端部にはリング状に形成されるリング状部材１２５が設けられている。リング状部材１２５は、止めネジ１２６にて軸筒２と一体的に固定されている。リング状部材１２５の内径は、円筒状部１２４ａの所定部分（後述する）の外径と摺動可能に形成される。そして、このリング状部材１２５が円筒状部１２４ａと環状突起部１２４ｂにより形成される段部と当接することにより、軸筒側移動体１２４の前方への移動が規制される。
【００２５】
また、軸筒２内の前方の空間部の後端は、段部２ａが形成されている。この段部２ａと軸筒側移動体１２４（環状突起部１２４ｂ）間には、軸筒側移動体１２４を前方に付勢する付勢部材であるコイルバネ１２７が設けられている。そして、コイルバネ１２７を圧接保持するバネ押え１２８が段部２ａに固設されている。
【００２６】
さらに、軸筒側移動体１２４の円筒状部１２４ａの前方の外周には、キャップ１００（キャップ本体１１０（第一突起１１２ａ））の軸筒２への着脱を可能にするための嵌合部を構成する第二突起１２４ｃが設けられている。第二突起１２４ｃは、軸芯に対して放射状に複数形成されている。すなわち、第一突起１１２ａと第二突起１２４ｃにより、キャップ１００（キャップ本体１１０）が軸筒２に取付けられるための嵌合部を構成している。
【００２７】
さらに、円筒状部１２４ａの外周において、先端部から第二突起１２４ｃを含む長手方向所定の長さは、これよりも後方側の外周外径に比べて僅かに小径に形成される。換言すれば、円筒状部１２４ａの環状突起部１２４ｂから前方への長手方向所定の長さは、これよりも前方側の外周外径に比べて僅かに大径に形成されている。この大径に形成される部分が、前述のリング状部材１２５の内周面と摺動可能に形成される。換言すれば、円筒状部１２４ａの外周の大径に形成される部分とリング状部材１２５の内周面とは、軸筒側移動体１２４が移動可能な程度に近接又は接触している。なお、円筒状部１２４ａの外径が小径に形成される部分と大径に形成される部分とは、連続して形成されている。
【００２８】
また、第一突起１１２ａと第二突起１２４ｃで構成される嵌合部は、いわゆる乗越え嵌合の関係を構成している。また、軸筒２に設けられるコイルバネ１２７の付勢力（弾発力）は、当該嵌合部の嵌合力よりも強く設定されている。さらにまた、押圧移動体１２１を付勢するコイルバネ１２２の付勢力（弾発力）は、好ましくは押圧移動体１２１を容易に押圧でき、コイルバネ１２２の付勢力（弾発力）のみで移動限まで（ピン１２３の位置まで）押圧移動体１２１を移動する程度に設定されていれば良い。
【００２９】
押圧移動体１２１のフランジ部１２１ｂ後端面からは、後方へ向けて円柱状に形成されたピン１２９が立設する。ピン１２９の端面は、軸筒側移動体１２４の先端面と当接している。なお、ピン１２９は軸芯に対して放射状に複数設けられている。また、底部材１１４の固定部１１４ｂにはピン１２９に対応してガイド孔１１４ｂ１が設けられる。ピン１２９はガイド孔１１４ｂ１にガイドされる。
【００３０】
さらに、押圧移動体１２１の先端面（解除押圧面１２１ｃ）は、側面視半円状に形成される。一方で、底部材１１４の先端面（換言すれば、キャップ本体１１０の底部である装着押圧面１１４ｃ）も同様に半円状に形成される。そして、キャップ１００の装着時において、解除押圧面１２１ｃと装着押圧面１１４ｃは対向して同一平面上になるように形成されている。
【００３１】
次に、本実施例の動作を以下に説明する。
図２は図１の要部であるキャップ１００周辺の拡大図である。（ａ）はキャップ１００が取付けられている状態を示し、（ｂ）はキャップ１００が取り外された状態を示す。
【００３２】
キャップが取付けられている状態（図２（ａ））からキャップ１００を取り外すには、まず、押圧移動体１２１の解除押圧面１２１ｃを、コイルバネ１２２の付勢力に抗して押圧する。このとき、片手で軸筒２を握りつつ、親指で解除押圧面１２１ｃを押圧すると好適である。
【００３３】
解除押圧面１２１ｃの押圧力は、押圧移動体１２１からピン１２９を介して軸筒側移動体１２４に伝達される。そして、伝達された押圧力を受けた軸筒側移動体１２４は、コイルバネ１２７の付勢力に抗して後方に移動する。軸筒側移動体１２４の後方側への移動により、第二突起１２４ｃは第一突起１１２ａを乗越え、嵌合部の嵌合状態が解除され、キャップ１００は取外される（図２（ｂ））。
【００３４】
嵌合部の嵌合状態の解除後、親指を解除押圧面１２１ｃから離す等して押圧力を解除すると、押圧移動体１２１はコイルバネ１２２に付勢されて、ピン１２３で規制される位置まで前方に移動する。同様に、軸筒側移動体１２４もコイルバネ１２７に付勢されて、リング状部材１２５で規制される位置まで前方に移動する。
【００３５】
キャップ１００を軸筒２に取付けるには、キャップ１００の開口端を軸筒２の先端部に嵌め込む。すると、第二突起１２４ｃが第一突起１１２ａを乗越えて、キャップ１００の嵌合状態となる。ここで、コイルバネ１２７の前方への付勢力は、嵌合部の嵌合力（第二突起１２４ｃが第一突起１１２ａを乗越える際に必要な軸方向の力）よりも強く設定されている。また、環状突起１１４ａと先口６の先端部とによるエアタイトのタイミングは、従来技術と同じく、嵌合部の嵌合とほぼ同時に設定されている。
【００３６】
このようにして、本考案に係る構造を採用した筆記具１においては、片手で容易にキャップを取外せる構造を実現できるとともに、キャップ取り外しの際においても、キャップ１００内（つまりキャップ本体１１０内）のペン先部３周りの空間の容積減少による圧力上昇に起因する不具合を発生させることがない。また、エアタイト等の構造も従来通り採用することができる。すなわち、換言すれば、筆記具用キャップとしての機能を損なわずに、片手で容易にキャップを取外す構造を実現することができる。
【００３７】
例えば、図示しないが、本考案の構造をキャップ内シールゴムをチップ先端に当接させることが必要なボールペン（具体的には水性直液式のボールペンなど）に採用した場合には、底部材１１４内部の底面（ボールペンチップと対抗する面）にシールゴムを設けることができる。この場合、キャップの取り外しの操作をしてもシールゴムがボールペンチップに対して相対的に固定されているので、キャップとしての機能を損なうことなく、片手で容易にキャップを取外せる構造を実現することができる。
【００３８】
また、本考案の構造では、キャップ本体１１０の前方側端面（換言すれば底部）を有底円筒状の底部材１１４と、所定の空間を隔てて外筒部材１１１を形成している。このようにしてキャップ本体１１０の前方側端面（底部）を二重筒状に形成することで、押圧移動体１２１を底部材１１４と外筒部材１１１との空間に形成することができるので、コンパクトな構造とすることができる。
【００３９】
さらに、本考案の構造では、底部材１１４の前方側端面（底部）の面（装着押圧面１１４ｃ）を押圧して、キャップ１００を軸筒２に取付けることもできる。これにより、解除押圧面１２１ｃを押圧するキャップ１００の取外し操作と同様の操作（すなわち、軸筒２を握って親指で押圧する操作）にて、キャップ１００を取付けることができる。なお、解除押圧面１２１ｃ及び装着押圧面１１４ｃを互いに異なる平面間に設定したり、表面に目印となる凹凸等の形状を設けたりすることにより、目視して確認することなく指先の感触で判断してキャップの取り外しを行うことができる。
【００４０】
以上、本考案の実施例を詳細に説明したが、本考案はこれに限定されることなく、本考案の要旨を変更しない範囲で適宜変更することができる。例えば、筆記具１全体を角筒状に形成するなどしてもよい。筆記具の種類もこれに限定されるものではなく、マーカー類（繊維束チップまたは樹脂チップ等）、ボールペン、万年筆などに適用することができる。
【００４１】
例えば、軸筒側移動体１２４に当接するように押圧移動体１２１に固設されるピン１２９を、例えば軸方向の切欠きを有する円筒状に形成することもできる。しかし、本実施例の様に構成することで、より組み立て易い構造とすることができる。
【００４２】
さらに、例えば、付勢部材としてコイルバネ１２２，１２７に換えて、エアダンパ等も設けることができる。さらには、付勢部材を設けない場合でも、手指操作にて押圧移動体１２１を復帰させたり、軸筒側移動体１２４を押さえたりしても良い。しかし、本実施例のように付勢部材を設けるのがキャップ着脱の操作上好適である。
【００４３】
また、本実施例においては、キャップ本体を外筒部材１１１，嵌合筒部材１１２，底部材１１４を締結部品で固定して構成しているが、これらを全て（又は部分的に）射出成形による樹脂部材により一体的に形成しても良い。同様に、ピンやネジと、これらの被着物を一体的に形成しても良い。
【００４４】
また、リング状部材１２５は、本実施例ではリング状に形成されたものとしているが、その機能を充足するようにして形成されるものであれば、リング状でなくても良く、例えば軸筒２に形成された突起状としても良い。
【００４５】
なお、本実施例では装着押圧面１１４ｃと解除押圧面１２１ｃをそれぞれ半円状に形成して設けたが、解除押圧面１２１ｃを円形に形成して、キャップ１００の装着は両手操作にて行うようにしても、本考案の要旨は達成される。
【符号の説明】
【００４６】
１  筆記具
２  軸筒
２ａ  段部
３  ペン先部
３  先口
３ａ  段部
４  中綿
５  尾栓
６  先口
６ａ  孔
６ｂ  溝
６ｃ  段部
７  円筒部材
１００  キャップ
１１０  キャップ本体
１１１  外筒部材
１１１ａ  段部
１１２  嵌合筒部材
１１２ａ  第一突起
１１３  ピン
１１４  底部材
１１４ａ  環状突起
１１４ｂ  固定部
１１４ｂ１  ガイド孔
１１４ｃ  装着押圧面
１１５  ネジ
１２０  キャップ解除機構
１２１  押圧移動体
１２１ａ  円筒状部
１２１ｂ  フランジ部
１２１ｃ  解除押圧面
１２２  コイルバネ
１２３  ピン
１２４  軸筒側移動体
１２４ａ  円筒状部
１２４ｂ  環状突起部
１２４ｃ  第二突起
１２５  リング状部材
１２６  ネジ
１２７  コイルバネ
１２８  押え
１２９  ピン
【図１】
0003158677.tif 000003
【図２】
0003158677.tif 000004
【手続補正書】
【提出日】平成22年2月5日(2010.2.5)
【手続補正１】
【補正対象書類名】実用新案登録請求の範囲
【補正対象項目名】請求項３
【補正方法】変更
【補正の内容】
【請求項３】
前記押圧移動体は、前記軸筒部の軸方向に押圧力を受ける解除押圧面が設けられ、
前記キャップ本体は、前記底部に前記軸筒部の軸方向に押圧力を受ける装着押圧面が設けられていることを特徴とする請求項２記載の筆記具用キャップの取付構造。